(57)【要約】【課題】現在普及している携帯電話機の電話用操作面の面積をそのまま有効的に活用することができると共に、ゲーム機又はパソコン用として使用する際には、ゲーム機やパソコンの利便性を考慮して、そのキー操作を容易に行うこと。【解決手段】縦長表示筐体部と、電話用操作面を有する縦長本体部が第１連結手段を介して開閉自在に連結された携帯電話機に於いて、縦長本体部に二軸を有する第２連結手段を介して、ベース板と一体的に設けられたゲーム機又はパソコン用の縦長操作筐体部を略３６０度開閉自在に連結し、さらに、縦長操作筐体部は、電話用操作面上で、ベース板から縦長操作筐体部の中心部に亘って設けられた回転手段を介して、縦長本体部に対して直交状態となるように回転すること。【選択図】図９
2010010731.tif 000002
【特許請求の範囲】
【請求項１】
縦長表示筐体部と、電話用操作面を有する縦長本体部が第１連結手段を介して開閉自在に連結された携帯電話機に於いて、前記縦長本体部に二軸を有する第２連結手段を介して、ベース板と一体的に設けられたゲーム機又はパソコン用の縦長操作筐体部を略３６０度開閉自在に連結し、さらに、前記縦長操作筐体部は、前記電話用操作面上で、前記ベース板から縦長操作筐体部の中心部に亘って設けられた回転手段を介して、前記縦長本体部に対して直交状態となるように回転することを特徴とする携帯電話機。
【請求項２】
請求項１に於いて、縦長本体部に第１連結手段を介して表示用ベース板が開閉自在に連結され、該表示用ベース板から縦長表示筐体部の中心部に亘って設けられた表示回転手段を介して、縦長表示筐体部を表示用ベース板に対して直交状態となるように回転させることを特徴とする携帯電話機。
【請求項３】
請求項１に於いて、縦長操作筐体部は、縦長本体部の下端部又は側部のいずれかに二軸を有する第２連結手段を介して連結されていることを特徴とする携帯電話機。
【発明の詳細な説明】
【技術分野】
【０００１】
本発明は、携帯電話機に関する。
【背景技術】
【０００２】
まず、特許文献１の図１に記載の実施例は、表示筐体部（主筐体部２０）の左右両端部に回転手段（ヒンジ部２５、２６）を介して一対の操作筐体部（左筐体部３０と右筐体部４０）をそれぞれ連結し、前記左右一組の操作筐体部３０、４０は、表示筐体部２０に対して観音開き式に開閉するものである。この特許文献１に記載の携帯端末装置は、現在普及している携帯電話機にゲーム機能を持たせるものである点で、本願発明と同一の目的を有する。また、この携帯端末装置は、表示筐体部の左右の操作筐体部３０、４０の上面に、ゲーム操作用の第１キー操作部３２と第２キー操作部４１とをそれぞれ配設するものであるから、左右の指を自由自在に使用することができ、操作性が向上するという利点がある。
【０００３】
しかしながら、この携帯端末装置は、ボタン操作の切換え（ボタン効果）により、一方の操作筐体部４０の第２キー操作部４１を携帯電話機の操作キーとして使用することができるというものの、操作筐体部４０は観音開き式であるため、その操作パネルの面積は半分に限定されるという問題点があった。付言すると、操作筐体部４０の第２キー操作部４１の操作キー或は入力用タッチパネルを表示筐体部（主筐体部２０）の表面の面積と同様にすることができないという欠点があった。
【０００４】
次に、特許文献２には、電話用操作面を有する縦長本体部の上端部に二軸を有する連結手段を介して縦長表示筐体部が連結され、前記縦長表示筐体部は、不使用時には、その液晶表示面が前記電話用操作面に密着状態に対面するように重なり、一方、使用時には、３６０度回転して展開状態となる事項が記載されている。この特許文献２に記載の携帯電話機は、現在市販されているものの、特許文献１に記載のように、ゲーム機又はパソコン用の縦長操作筐体部を備えていない。
【０００５】
さらに、特許文献３には、縦長表示筐体部と、電話用操作面を有する縦長本体部が連結手段を介して開閉自在に連結された携帯電話機に於いて、前記縦長表示筐体部が、前記連結手段に回転自在に軸支された表示用ベース板に表示回転手段を介して回転する旨が開示されている。なお、特許文献４には、筐体が横方向に開閉する事項が記載されている。
【特許文献１】特開２００５−２４４３８５号公報（段落００２１、図１）
【特許文献２】特開２００６−２９５３８４号公報（図１２、図１３）
【特許文献３】特許第４０３１７７６号公報（図１、図２）
【特許文献４】特開２００７−１３６４８号公報
【発明の開示】
【発明が解決しようとする課題】
【０００６】
本発明の所期の目的は、特許文献１、特許文献２等の問題点に鑑み、現在普及している携帯電話機の電話用操作面（タッチパネル式も含む）の面積をそのまま有効的に活用することができると共に、ゲーム機又はパソコン用として使用する際には、ゲーム機やパソコンの利便性を考慮して、そのキー操作を容易に行うことができる携帯電話機を提供することである。第２の目的は、携帯性を考慮し、不使用の際には、全体をコンパクトに折り畳むことができることである。第３の目的は、ゲーム機やパソコンのキー操作の際、視認性の向上を図るために、縦長表示筐体部を簡単に横状態にすることができるである。
【課題を解決するための手段】
【０００７】
本発明の携帯電話機は、縦長表示筐体部と、電話用操作面を有する縦長本体部が第１連結手段を介して開閉自在に連結された携帯電話機に於いて、前記縦長本体部に二軸を有する第２連結手段を介して、ベース板と一体的に設けられたゲーム機又はパソコン用の縦長操作筐体部を略３６０度開閉自在に連結し、さらに、前記縦長操作筐体部は、前記電話用操作面上で、前記ベース板から縦長操作筐体部の中心部に亘って設けられた回転手段を介して、前記縦長本体部に対して直交状態となるように回転することを特徴とする。
【発明の効果】
【０００８】
現在普及している携帯電話機の電話用操作面の面積をそのまま有効的に活用することができると共に、ゲーム機又はパソコン用として使用する際には、ゲーム機やパソコンの利便性を考慮して、縦長操作筐体部をゲーム機やパソコンの使用態様に変身させ、そのキー操作を容易に行うことができる。
【発明を実施するための最良の形態】
【０００９】
以下、図１乃至図１１に示す本発明を実施するための最良の形態（第１実施例）により説明する。
【００１０】
（１）発明の主要部
本発明の携帯電話機Ｘは、不使用時、片手で握ることができるように折り畳み可能である。そして、携帯電話機Ｘの使用態様は、二つに区分けされる。その一つは、携帯電話として使用する場合であり、もう一つはゲーム機又はパソコンとして使用する場合である。そのために、現在普及している自明の折り畳み式の携帯電話機の本体部（主筐体部）の裏側（底部の外壁面）にゲーム機又はパソコン用の縦長操作筐体部を折り畳み自在に設け、該縦長操作筐体部は、第２連結手段を介して前記本体部（主筐体部）の表側（電話用操作面）まで略３６０度回転可能である。
【００１１】
すなわち、本発明の携帯電話機Ｘは、縦長表示筐体部１と、電話用操作面２ａを有する縦長本体部２が第１連結手段３を介して開閉自在に連結された携帯電話機に於いて、前記縦長本体部２の下端部に二軸を有する第２連結手段４を介して、ベース板５と一体的に設けられたゲーム機用又はパソコン用の縦長操作筐体部６を開閉自在に連結し、前記縦長本体部２を電話機として使用する際には、前記縦長表示筐体部１を、前記第１連結手段３を介して折り畳み状態から所定角度まで開き、一方、前記縦長操作筐体部６をゲーム機又はパソコンのキーボードとして使用する際には、まず、折り畳み状態の前記縦長表示筐体部１を所定角度まで開き、次に、折り畳み状態のベース板５及び縦長操作筐体部６を、前記第２連結手段４を介して、縦長本体部２の電話用操作面２ａに乗る位置まで回転させて該縦長操作筐体部６のキー操作面６ａを上向きにし、しかる後に、前記ベース板５から縦長操作筐体部６の中心部に亘って設けられた回転手段７を介して、縦長操作筐体部６を縦長本体部２に対して直交状態となるように回転させる。以下、本発明の特定要件について順次説明するが、細部的な事項は図面及びその説明を割愛する。
【００１２】
（２）各構成部材
まず、図１は携帯電話機Ｘを片手で握ることができるように折り畳んだ状態の説明図である。したがって、図１は携帯電話機Ｘの不使用時であり、その状態でポケットや袋物に入れることができる。
【００１３】
この図１を基準にして各構成部材を説明すると、まず、１は縦長表示筐体部、２は縦長本体部である。縦長本体部２の上端部に一軸の第１連結手段３を介して縦長表示筐体部１が開閉自在に連結されている。縦長表示筐体部１は、図面上は縦長本体部２の右側に位置し、その液晶表示面１ａが縦長本体部２の電話用操作面２ａと密着状態に対面している。特に細部の符号を付さないが、前記第１連結手段３は、本体縦長部２の上端部に突出形成された軸受け部、該軸受け部に嵌挿されて縦長表示筐体部１の左右一対の基端部を軸支する一つの横軸とから成る（自明事項）。
【００１４】
次に、５はやや縦長状のベース板、６は縦長操作筐体部である。ベース板５と縦長操作筐体部６の長さの割合は、例えば２：３である。ベース板５及び縦長操作筐体部６は、折り畳んだ状態に於いて、縦長本体部２から食み出ないように、その長さや幅寸法が設定されている。なお、縦長操作筐体部６の四隅は、該縦長操作筐体部６がスムースに回転することができるように弧状に形成されている。
【００１５】
前記ベース板５の基端部（図では下端部）は、二軸を有する第２連結手段４を介して、縦長本体部２の下端部に開閉自在に連結されている。また、前記縦長操作筐体部６は、ベース板５の内壁面に回転手段７を介して一体的に併設されている。この縦長操作筐体部６は、図面上は縦長本体部２の左側に位置し、そのキー操作面６ａが縦長本体部２の背面（裏側）と密着状態に対面している。したがって、折り畳んだ状態では、ゲーム機用又はパソコン用の前記キー操作面６ａは見えない。
【００１６】
次に、図２、図３は、縦長本体部２の背面（裏側）に二軸を有する第２連結手段４を介してベース板５が連結される旨の各説明図である。図３で示すように、第２連結手段４は、左右の両端面がトラック形状の連結板８と、この連結板８の両端面から該連結板長手方向に形成された一対の軸孔８ａ、８ｂにそれぞれ挿入される二つの軸９、１０とから成る。なお、連結板８の肉厚は、縦長本体部２並びに縦長操作筐体部６のそれに対応している。
【００１７】
（３）ゲーム機又はパソコンの使用態様
ベース板５は、縦長本体部２の基端部（下端部）に二軸９、１０を有する第２連結手段４を介して連結され、かつ、その内壁面に回転手段７を介して縦長操作筐体部６を備えている。ここで、図１０を参照にして前記回転手段７の構成を説明すると、例えば回転手段７は、フランジ部７ａと、該フランジ部７ａの内面に連設する短い螺合部７ｂとから成り、前記フランジ部７ａはベース板５の先端部寄りの部位に形成された嵌合凹所５ａ内に摺動（回転）自在に遊嵌合し、一方、前記短い螺合部７ｂは縦長操作筐体部６に形成された不番のメネジ部に螺着している。
【００１８】
したがって、縦長操作筐体部６は、図４、図６、図７等で示すように縦長本体部２の背面（裏側）から表面まで略３６０度回転可能である。
【００１９】
そこで、縦長操作筐体部６をゲーム機又はパソコンのキーボードとして使用する際には、まず、図４、図５で示すように折り畳み状態の前記縦長表示筐体部１７を所定角度まで開き、次に、図６〜図７で示すように折り畳み状態のベース板５及び縦長操作筐体部６を、前記第２連結手段４を介して、縦長本体部２の電話用操作面２ａに乗る位置まで回転させて該縦長操作筐体部６のキー操作面６ａを上向きにし、しかる後に、図９で示すように前記ベース板５から縦長操作筐体部６の中心部に亘って設けられた回転手段７を介して、縦長操作筐体部６を縦長本体部２に対して直交状態となるように回転させる。
【００２０】
（４）操作モードの切換え
図１１は操作モード切換えのブロック図である。図１１に於いて、１１はベース操作板５及び縦長操作筐体部６の回転態様（開閉状態）を検出する開閉検出回路、１２は縦長本体部２に内蔵されている制御部、１ａは縦長本体部２に機械的及び電気的に接続する縦長表示筐体部１の液晶表示画面、１３は前記制御部１２に電気的に接続し、かつ縦長操作筐体部６の操作キー１４からの信号を変換するキー入力変換部である。図１１で示すように、本実施例では、ベース操作板５及び縦長操作筐体部６を縦長本体部２の裏側からその表側へと３６０度回転すると、開閉検出回路により回転態様が検出され、前記制御部１２は開閉検出回路からの検出信号を取得すると、操作キーのモードを変換するようにキー入力変換部１３に対して制御信号を出す。したがって、縦長操作筐体部６を開閉することにより、自動的に操作キーのモードが切り換る。
【実施例】
【００２１】
発明の実施の形態で示した実施例に於いて、縦長表示筐体部１は、図９の使用態様に於いて、その液晶表示面（液晶表示部）１ａは回転しないタイプのものである。すなわち、不番の筐体枠部内に液晶表示面１ａが一体的に組み込まれている。
【００２２】
そこで、図１２乃至図１４は、液晶表示面１ａが回転可能な携帯電話機Ｘ１の第２実施例を示す。この第２実施例では、縦長本体部２に第１連結手段３を介して表示用ベース板２１が開閉自在に連結されている。そして、この携帯電話機Ｘ１の縦長表示筐体部１Ａは、前記表示用ベース板２１に表示回転手段２２を介して、９０度回転することができるように設けられている。なお、前記表示回転手段２２の構成は、縦長操作筐体部６側の回転手段７と同一の構成を採用している。
【００２３】
上記構成に於いて、携帯電話機Ｘ１をゲーム機又はパソコンとして使用する場合には、図１４で示すように、表示用ベース板２１から縦長表示筐体部１Ａの中心部に亘って設けられた表示回転手段２２を介して、縦長表示筐体部１Ａを表示用ベース板２１に対して直交状態となるように回転させる。このようにすると、縦長本体部２に対して交差（横）状態となった縦長操作筐体部６に対応して、縦長表示筐体部１Ａも交差（横）状態となるので、操作性のみならず、文字や画面の視認性も高めることができる。なお、特に図示しないが、携帯電話機Ｘ１の縦長表示筐体部１Ａ或は縦長本体部２には、文字や画面を縦状態から横状態に変換する公知乃至自明の信号変換機能が設けられている。
【００２４】
ところで、本実施例の縦長操作筐体部６のキー操作面６ａは、第１実施例のようにパソコン操作用のキー配列に限定するものではなく、図１５で示すように、ゲーム操作用にしても良い。したがって、操作筐体縦長部６のキー操作面６ａの左右には、一対のプッシュキー（例えばボタンキー、十字キー等）２５、２６が設けられている。
【００２５】
また、第１実施例では、縦長操作筐体部６は、縦長本体部２の下端部に二軸を有する第２連結手段４を介して回転自在に連結されているが、図１６乃至図２０で示すように、縦長操作筐体部６を縦長本体部２の側部に第２連結手段４を介して回転自在に連結しても良い。
【００２６】
図１６乃至図２０に記載の実施例を、ここでは「第３実施例」とする。そして、この第３実施例の基本的構成及び縦長操作筐体部６の回転態様は、図１７乃至図２０で示すように第１実施例と同様なので、同一部分には同一の構成を付して重複する説明を割愛する。
【産業上の利用可能性】
【００２７】
本発明は、主に携帯電話機や携帯ゲーム機を製造・販売する業界で利用される。
【図面の簡単な説明】
【００２８】
図１乃至図１１は本発明の最良の実施例を示す各説明図。図１２乃至図１４は本発明の第２実施例を示す各説明図。図１６乃至図２０は本発明の第３実施例を示す各説明図。
【図１】第１実施例の折り畳んだ状態の左側面視からの説明図（携帯電話機Ｘの不使用時）。
【図２】主な構成部材の説明図。
【図３】第２連結手段を示す説明図。
【図４】電話機として使用する際の左側面視からの説明図。
【図５】電話機として使用する際の正面視からの説明図（縦長表示筐体部の展開状態）。
【図６】図６（ａ）、（ｂ）は、縦長操作筐体部の回転態様を示す左側面視からの説明図。
【図７】縦長操作筐体部を３６０度回転した左側面視からの説明図。
【図８】縦長操作筐体部を３６０度回転した正面視からの説明図（縦長操作筐体部の展開状態）。
【図９】縦長操作筐体部をゲーム機又はパソコンのキーボードとして使用する際の左側面視からの説明図。
【図１０】要部（回転手段７）の説明図。
【図１１】操作モード切換えのブロック図。
【図１２】第２実施例を示す図１と同様の説明図。
【図１３】図４と同様の説明図。
【図１４】図９と同様の説明図。
【図１５】縦長操作筐体部６のキー操作面６ａの他の実施例を示す説明図。
【図１６】第３実施例の左側面からの概略説明図（縦長表示筐体部は展開状態）。
【図１７】正面視からの概略説明図（縦長表示筐体部は展開状態）。
【図１８】図１７に於いて、縦長本体部の裏側に位置している縦長操作筐体部を略１８０度回転した状態を示す概略説明図。
【図１９】図１８に於いて、縦長操作筐体部をさらに略１８０度回転して縦長本体部の表面に重ねた状態を示す概略説明図。
【図２０】図１９に於いて、縦長操作筐体部を回転して横状態にした状態を示す概略説明図。
【符号の説明】
【００２９】
Ｘ、Ｘ１…携帯電話機、1、１Ａ…縦長表示筐体部、１ａ…液晶表示面、２…縦長本体部、２ａ…電話用操作面、３…第１連結手段、４…第２連結手段、５…ベース板、６…縦長操作筐体部、６ａ…キー操作面、７…回転手段、９、１０…軸、１１…開閉検出回路、１２…制御部、１３…キー入力変換部、１４…操作キー、２１…表示用ベース板、２２…表示回転手段。
【図１】
2010010731.tif 000003
【図２】
2010010731.tif 000004
【図３】
2010010731.tif 000005
【図４】
2010010731.tif 000006
【図５】
2010010731.tif 000007
【図６】
2010010731.tif 000008
【図７】
2010010731.tif 000009
【図８】
2010010731.tif 000010
【図９】
2010010731.tif 000011
【図１０】
2010010731.tif 000012
【図１１】
2010010731.tif 000013
【図１２】
2010010731.tif 000014
【図１３】
2010010731.tif 000015
【図１４】
2010010731.tif 000016
【図１５】
2010010731.tif 000017
【図１６】
2010010731.tif 000018
【図１７】
2010010731.tif 000019
【図１８】
2010010731.tif 000020
【図１９】
2010010731.tif 000021
【図２０】
2010010731.tif 000022